【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
携帯電話機（２）を用いた乗り物（１）のシェアリングシステムであって、
前記乗り物に搭載される搭載機（１２）と、
サーバ（３）と、を備え、
前記搭載機は、中継機を介さず前記携帯電話機から前記携帯電話機の電話番号（Ｔｎｓ）を無線で受信したことに基づいて、前記電話番号をメモリ中の変数Ａに格納し、
前記携帯電話機から前記搭載機を宛先とする呼接続要求が送信された場合、前記サーバは、前記呼接続要求を前記搭載機に転送し、
前記搭載機は、前記サーバによって転送された前記呼接続要求を受信した場合、前記呼接続要求に含まれる送信元の電話番号が前記変数Ａの値と同じであることに基づいて、前記乗り物を走行可能にするシェアリングシステム。
【請求項２】
前記搭載機は、前記呼接続要求に対応する呼が確立したことに基づいて、前記呼接続要求の送信元の電話番号に対応するデータをパスワード（ＸＴｎｓ）として記録する請求項１に記載のシェアリングシステム。
【請求項３】
携帯電話機（２）を用いた乗り物（１）のシェアリングシステムであって、
前記乗り物に搭載される搭載機（１２）と、
サーバ（３）と、を備え、
前記携帯電話機から前記搭載機を宛先とする呼接続要求が送信された場合、前記サーバは、前記呼接続要求を前記搭載機に転送し、
前記搭載機は、前記サーバによって転送された前記呼接続要求を受信したことに基づいて、前記乗り物を走行可能にし、
前記搭載機は、前記呼接続要求に対応する呼が確立したことに基づいて、前記呼接続要求の送信元の電話番号に対応するデータをパスワード（ＸＴｎｓ）として記録するシェアリングシステム。
【請求項４】
前記搭載機は、ロック指示を受信した場合、前記ロック指示に含まれる電話番号が前記パスワードに対応するものであることに基づいて、前記乗り物を走行不可能にする請求項２または３に記載のシェアリングシステム。
【請求項５】
前記搭載機は、アンロック指示を受信した場合、前記アンロック指示に含まれる電話番号が前記パスワードに対応するものであることに基づいて、前記乗り物を走行可能にする請求項２ないし４のいずれか１つに記載のシェアリングシステム。
【請求項６】
前記搭載機は、使用終了通知を受信した場合、前記使用終了通知に含まれる電話番号が前記パスワードに対応するものであることに基づいて、前記乗り物を走行不可能にすると共に前記パスワードをクリアする請求項２ないし５のいずれか１つに記載のシェアリングシステム。
【請求項７】
前記呼接続要求は第１の呼接続要求であり、
前記携帯電話機および前記搭載機のうちいずれか一方から他方を宛先とする第２の呼接続要求が送信されたことに基づいて、前記携帯電話機の電話番号が登録されているか否かを問い合わせ、登録されていれば、前記第２の呼接続要求を前記他方に転送し、前記第２の呼接続要求に対応する呼が確立したことに基づいて、前記携帯電話機の電話番号を用いた課金のための処理を行う請求項１ないし６のいずれか１つに記載のシェアリングシステム。
【請求項８】
携帯電話機（２）を用いた乗り物（１）のシェアリングシステムであって、
前記乗り物に搭載される搭載機（１２）と、
サーバ（３）と、を備え、
前記携帯電話機から前記搭載機を宛先とする呼接続要求が送信された場合、前記サーバは、前記呼接続要求を前記搭載機に転送し、
前記搭載機は、前記サーバによって転送された前記呼接続要求を受信したことに基づいて、前記乗り物を走行可能にし、
前記呼接続要求は第１の呼接続要求であり、
前記携帯電話機および前記搭載機のうちいずれか一方から他方を宛先とする第２の呼接続要求が送信されたことに基づいて、前記携帯電話機の電話番号が登録されているか否かを問い合わせ、登録されていれば、前記第２の呼接続要求を前記他方に転送し、前記第２の呼接続要求に対応する呼が確立したことに基づいて、前記携帯電話機の電話番号を用いた課金のための処理を行うシェアリングシステム。
【請求項９】
前記携帯電話機から前記搭載機を宛先とする呼接続要求が送信された場合、前記サーバは、前記携帯電話機の電話番号が登録されているか否かを問い合わせ、登録されていれば、前記呼接続要求を前記搭載機に転送する請求項１ないし８のいずれか１つに記載のシェアリングシステム。
【請求項１０】
前記サーバは、前記呼接続要求に対応する呼が確立したことに基づいて、前記携帯電話機の電話番等を用いた課金のための処理を行う請求項９に記載のシェアリングシステム。
【請求項１１】
前記乗り物に取り付けられる表示媒体（１１）を備え、
前記表示媒体は、前記携帯電話機が読み取り可能なコードが表されており、
前記コードは、前記搭載機の電話番号を表す請求項１ないし１０のいずれか１つに記載のシェアリングシステム。
【請求項１２】
乗り物（１）に搭載され、携帯電話機（２）と電話通信する搭載機であって、
前記携帯電話機と電話通信するための通信部（２２）と、
制御部（２６）とを備え、
前記制御部は、中継機を介さず前記携帯電話機から前記携帯電話機の電話番号（Ｔｎｓ）を無線で受信したことに基づいて、前記電話番号をメモリ中の変数Ａに格納し、
前記制御部は、前記携帯電話機を送信元とする呼接続要求を、前記通信部を介して受信した場合、前記呼接続要求に含まれる送信元の電話番号が前記変数Ａの値と同じであることに基づいて、前記乗り物を走行可能にする搭載機。
【請求項１３】
乗り物（１）に搭載され、携帯電話機（２）と電話通信する搭載機であって、
前記携帯電話機と電話通信するための通信部（２２）と、
制御部（２６）とを備え、
前記制御部は、前記携帯電話機を送信元とする呼接続要求を、前記通信部を介して受信したことに基づいて、前記乗り物を走行可能にし、
前制御部は、前記呼接続要求に対応する呼が確立したことに基づいて、前記呼接続要求の送信元の電話番号に対応するデータをパスワード（ＸＴｎｓ）として記録する搭載機。
【手続補正２】
【補正対象書類名】明細書
【補正対象項目名】０００６
【補正方法】変更
【補正の内容】
【０００６】
上記目的を達成するための請求項１に記載の発明は、携帯電話機（２）を用いた乗り物（１）のシェアリングシステムであって、
前記乗り物に搭載される搭載機（１２）と、
サーバ（３）と、を備え、
前記搭載機は、中継機を介さず前記携帯電話機から前記携帯電話機の電話番号（Ｔｎｓ）を無線で受信したことに基づいて、前記電話番号をメモリ中の変数Ａに格納し、
前記携帯電話機から前記搭載機を宛先とする呼接続要求が送信された場合、前記サーバは、前記呼接続要求を前記搭載機に転送し、
前記搭載機は、前記サーバによって転送された前記呼接続要求を受信した場合、前記呼接続要求に含まれる送信元の電話番号が前記変数Ａの値と同じであることに基づいて、前記乗り物を走行可能にするシェアリングシステムである。
また、請求項３に記載の発明は、携帯電話機（２）を用いた乗り物（１）のシェアリングシステムであって、
前記乗り物に搭載される搭載機（１２）と、
サーバ（３）と、を備え、
前記携帯電話機から前記搭載機を宛先とする呼接続要求が送信された場合、前記サーバは、前記呼接続要求を前記搭載機に転送し、
前記搭載機は、前記サーバによって転送された前記呼接続要求を受信したことに基づいて、前記乗り物を走行可能にし、
前記搭載機は、前記呼接続要求に対応する呼が確立したことに基づいて、前記呼接続要求の送信元の電話番号に対応するデータをパスワード（ＸＴｎｓ）として記録するシェアリングシステムである。
また、請求項８に記載の発明は、携帯電話機（２）を用いた乗り物（１）のシェアリングシステムであって、
前記乗り物に搭載される搭載機（１２）と、
サーバ（３）と、を備え、
前記携帯電話機から前記搭載機を宛先とする呼接続要求が送信された場合、前記サーバは、前記呼接続要求を前記搭載機に転送し、
前記搭載機は、前記サーバによって転送された前記呼接続要求を受信したことに基づいて、前記乗り物を走行可能にし、
前記呼接続要求は第１の呼接続要求であり、
前記携帯電話機および前記搭載機のうちいずれか一方から他方を宛先とする第２の呼接続要求が送信されたことに基づいて、前記携帯電話機の電話番号が登録されているか否かを問い合わせ、登録されていれば、前記第２の呼接続要求を前記他方に転送し、前記第２の呼接続要求に対応する呼が確立したことに基づいて、前記携帯電話機の電話番号を用いた課金のための処理を行うシェアリングシステムである。
【手続補正３】
【補正対象書類名】明細書
【補正対象項目名】０００７
【補正方法】変更
【補正の内容】
【０００７】
また、請求項１２に記載の発明は、
乗り物（１）に搭載され、携帯電話機（２）と電話通信する搭載機であって、
前記携帯電話機と電話通信するための通信部（２２）と、
制御部（２６）とを備え、
前記制御部は、中継機を介さず前記携帯電話機から前記携帯電話機の電話番号（Ｔｎｓ）を無線で受信したことに基づいて、前記電話番号をメモリ中の変数Ａに格納し、
前記制御部は、前記携帯電話機を送信元とする呼接続要求を、前記通信部を介して受信した場合、前記呼接続要求に含まれる送信元の電話番号が前記変数Ａの値と同じであることに基づいて、前記乗り物を走行可能にする搭載機である。
また、請求項１３に記載の発明は、乗り物（１）に搭載され、携帯電話機（２）と電話通信する搭載機であって、
前記携帯電話機と電話通信するための通信部（２２）と、
制御部（２６）とを備え、
前記制御部は、前記携帯電話機を送信元とする呼接続要求を、前記通信部を介して受信したことに基づいて、前記乗り物を走行可能にし、
前制御部は、前記呼接続要求に対応する呼が確立したことに基づいて、前記呼接続要求の送信元の電話番号に対応するデータをパスワード（ＸＴｎｓ）として記録する搭載機である。